(57)【要約】【課題】薬液が外部に漏れ出しにくい薬液揮散器を提供する。【解決手段】薬液揮散器は、口部を有し、薬液を収容するための容器本体と、前記容器本体の外に一部が露出するように前記口部を介して前記容器本体内に挿入され、前記薬液を吸い上げる棒状の揮散体と、前記棒状の揮散体を支持しつつ、前記口部を閉じるように前記口部に取り付けられる封止部材と、を備える。【選択図】図４
2022002974.tif 000002
【特許請求の範囲】
【請求項１】
口部を有し、薬液を収容するための容器本体と、
前記容器本体の外に一部が露出するように前記口部を介して前記容器本体内に挿入され、前記薬液を吸い上げる棒状の揮散体と、
前記棒状の揮散体を支持しつつ、前記口部を閉じるように前記口部に取り付けられる封止部材と、を備える
薬液揮散器。
【請求項２】
前記封止部材は、挿入孔を有し、前記挿入孔に挿入された前記揮散体を支持する
請求項１に記載の薬液揮散器。
【請求項３】
前記挿入孔は、前記封止部材に対する前記揮散体の相対的な位置が維持される大きさを有する
請求項２に記載の薬液揮散器。
【請求項４】
前記封止部材は、少なくとも一部が前記口部の内部に挿入される
請求項１〜３のいずれか一項に記載の薬液揮散器。
【請求項５】
前記封止部材は、高さ方向において、半分以上が前記口部の内部に挿入される
請求項４に記載の薬液揮散器。
【発明の詳細な説明】
【技術分野】
【０００１】
本発明は、薬液揮散器に関する。
【背景技術】
【０００２】
薬液が収容された容器内に、棒状の揮散体を容器内から突出するような態様で挿入して使用する薬液揮散器が知られている。例えば、特許文献１に記載の薬液揮散器は、容器内の薬液が揮散体に吸い上げられて外部空間に揮散することによって、薬液の有する芳香効果等の効果が外部空間に付与される。
【先行技術文献】
【特許文献】
【０００３】
【特許文献１】特開２０１８−２０３２８６号公報
【発明の概要】
【発明が解決しようとする課題】
【０００４】
薬液揮散器は、例えば、物体が接触すること等によって外力が作用した場合、傾く場合、及び、倒れる場合がある。また、薬液揮散器は、設置される環境によっては振動する場合がある。また、車中に配置される場合のように、薬液揮散器が高温環境に晒される場合がある。このような場合、特許文献１に記載の薬液揮散器は、薬液が容器から外部に漏れ出すおそれがある。
【０００５】
本発明は、薬液が外部に漏れ出しにくい薬液揮散器を提供することを目的とする。
【課題を解決するための手段】
【０００６】
本発明の第１観点に係る薬液揮散器は、口部を有し、薬液を収容するための容器本体と、前記容器本体の外に一部が露出するように前記口部を介して前記容器本体内に挿入され、前記薬液を吸い上げる棒状の揮散体と、前記棒状の揮散体を支持しつつ、前記口部を閉じるように前記口部に取り付けられる封止部材と、を備える。
【０００７】
本発明の第２観点に係る薬液揮散器は、第１観点に係る薬液揮散器であって、前記封止部材は、挿入孔を有し、前記挿入孔に挿入された前記揮散体を支持する。
【０００８】
本発明の第３観点に係る薬液揮散器は、第２観点に係る薬液揮散器であって、前記挿入孔は、前記封止部材に対する前記揮散体の相対的な位置が維持される大きさを有する。
【０００９】
本発明の第４観点に係る薬液揮散器は、第１観点から第３観点のいずれか１つに係る薬液揮散器であって、前記封止部材は、少なくとも一部が前記口部の内部に挿入される。
【００１０】
本発明の第５観点に係る薬液揮散器は、第４観点に係る薬液揮散器であって、前記封止部材は、高さ方向において、半分以上が前記口部の内部に挿入される。
【発明の効果】
【００１１】
本発明に関する薬液揮散器によれば、薬液が外部に漏れ出しにくい。
【図面の簡単な説明】
【００１２】
【図１】実施形態の薬液揮散器の正面図。
【図２】図１の薬液揮散器の側面図。
【図３】図１の揮散体の横断面図。
【図４】図２のＤ４−Ｄ４線に沿う断面図。
【発明を実施するための形態】
【００１３】
以下、本発明に係る薬液揮散器の一実施形態について、図面を参照して説明する。図１は、一実施形態に係る薬液揮散器１０の正面図である。図２は、薬液揮散器１０の側面図である。
【００１４】
＜１．薬液揮散器の全体構成＞
図１及び図２に示される薬液揮散器１０は、例えば、室内、又は、自動車の車内に設置して使用される。薬液揮散器１０が自動車の車内に設置される場合、薬液揮散器１０は、例えば、アダプターを介してエアーコンディショナーの吹き出し口に固定される、或いはダッシュボードの上に載置される。ここでいうアダプターの構成は、特に限定されないが、一例を挙げると、吹き出し口のルーバーを挟むようにしてルーバーに固定可能なクリップに、薬液揮散器１０のうちの任意の箇所を掴む等の態様で薬液揮散器１０を着脱自在に保持する保持機構を設けた部材が想定される。薬液揮散器１０は、薬液が収容される容器２０、及び、容器２０に挿入される１又は複数の棒状の揮散体７０を備える。本実施形態では、薬液揮散器１０は、３本の揮散体７０を備える。別の例では、薬液揮散器１０は、１本、２本、又は、４本以上の揮散体７０を備える。なお、本明細書でいう「上」「下」は、特に断らない限り、図１に示す使用状態を基準に定義される。
【００１５】
容器２０に収容される薬液は、特にその種類は限定されないが、典型的には芳香剤、消臭剤又は防虫剤、或いはこれらの混合物であり、使用目的に応じて、香料、消臭成分、防虫成分、着色料等の添加剤が含有される。薬液に含まれる溶媒は、使用される添加剤の種類に応じて適宜選択され、親水性溶媒又は親油性溶媒、或いはこれらの混合物とすることができる。薬液が香料を含む場合には、その香り強度を高めるために、溶媒として少なくとも親油性溶媒を含むことが好ましい。親水性溶媒としては、例えば、水又はエタノール、或いはこれらの混合物を使用することができる。親油性溶媒としては、例えば、グリコールエーテル又はイソパラフィン系溶媒、或いはこれらの混合物を使用することができる。また、薬液には、香料、消臭成分、防虫成分、着色料等の機能性成分を可溶化させるために、溶解剤が含まれていてもよい。
【００１６】
揮散体７０は、容器２０内からその一部が突出するような態様で容器２０内に差し込まれる。揮散体７０は、容器２０の高さに対し十分な長さを有している。揮散体７０の下端部７１（図４参照）は、容器２０内に位置する。本実施形態では、揮散体７０の下端部７１は、後述する薬液収容部３１の底壁３１Ａ（図４参照）と接触する。揮散体７０の上端部７２は、容器２０の外に露出する。薬液揮散器１０のインテリア性を向上させるべく、揮散体７０は、上下方向に対して傾斜した状態で容器２０にセットされる。図１に示されるように、薬液揮散器１０が複数の揮散体７０を備える場合、例えば、複数の揮散体７０は、様々な方向を向き、かつ、放射状に延びるように容器２０にセットされる。
【００１７】
揮散体７０は、薬液を毛細管現象によって重力に逆らって吸い上げることが可能な構造を有している。その結果、容器２０内の薬液は、揮散体７０を伝って下端部７１（図４参照）から上端部７２まで上昇することができ、揮散体７０の外表面から外部空間へと揮散（自然蒸散）する。これにより、薬液は、薬液揮散器１０の置かれた周囲の空間へ拡散される。
【００１８】
揮散体７０の形状及び材質は、薬液を吸い上げて外部に揮散させることができる限り、特に限定されない。揮散体７０は、典型的には、内部に微細孔を有する細長い略円柱形状を有しており、ラタン等の天然素材から構成することもできるし、ポリエチレン、ポリアセタール等の合成樹脂から構成することもできる。本実施形態に係る揮散体７０は、図３に示される横断面形状を有する。この例では、揮散体７０は、ポリエチレンテレフタレートとポリウレタンから構成され、内部に多数の不定形の微細孔７０Ａを有する。また、この揮散体７０の外表面には、複数の溝７３が形成されている。複数の溝７３は、揮散体７０の軸方向に沿って下端部７１（図４参照）から上端部７２まで筋状に延びている。すなわち、揮散体７０の横断面は、周方向に沿って滑らかな輪郭線ではなく、凹凸を有する輪郭線を有する。また、これらの溝７３は、揮散体７０の周方向に沿って概ね等間隔に配置されている。薬液は、毛細管現象によって、微細孔７０Ａだけでなく、溝７３に沿っても吸い上げられる。そのため、本実施形態の揮散体７０の外表面には、薬液が多量に付着し易くなっている。
【００１９】
＜２．容器の詳細＞
図４は、容器２０の縦断面図である。図４に示されるように、容器２０は、容器本体３０、カバー部材４０、封止部材５０、及び、中栓６０を備える。
【００２０】
＜２―１．容器本体＞
容器本体３０は、薬液を収容する薬液収容部３１、薬液収容部３１の上端と繋がる肩部３２、及び、肩部３２の上端と繋がる筒状の口部３３を有する。本実施形態では、平面視において、薬液収容部３１の外形は、概ね楕円形であり、肩部３２、及び、口部３３の外形は、概ね円形である。薬液収容部３１、肩部３２、及び、口部３３の中心は、一致する。薬液収容部３１の最大径は、肩部３２の最大径、及び、口部３３の最大径よりも大きい。肩部３２の最大径は、口部３３の最大径よりも大きい。口部３３の上端には、揮散体７０が挿入される開口３３Ａが形成される。口部３３の外面には、カバー部材４０に形成される雌ねじ４２と噛み合う雄ねじ３３Ｂが形成される。なお、２つのねじ３３Ｂ及び４２の雄雌の関係は、逆であってもよい。
【００２１】
容器本体３０を構成する材料は、任意に選択可能である。例えば、容器本体３０を構成する材料は、ガラス又は合成樹脂である。好ましい例では、容器本体３０は、インテリア性を向上させ、かつ、薬液の残量を外部から視認できるように、透明又は半透明である材料によって構成される。
【００２２】
＜２―２．カバー部材＞
カバー部材４０は、口部３３及び封止部材５０を上方から覆うように容器本体３０に取り付けられる。カバー部材４０は、天面４１を有する。天面４１は、口部３３の開口３３Ａと連通する開口４１Ａが形成される。開口４１Ａの形状及び大きさは、任意に選択可能である。本実施形態では、天面４１は、平面視において概ね円形であり、その中心に、同じく概ね円形の開口４１Ａが形成される。また、本実施形態では、開口４１Ａの最大径は、開口３３Ａの最大径よりも小さい。カバー部材４０を構成する材料は、任意に選択可能である。例えば、カバー部材４０を構成する材料としては、合成樹脂を選択することもできるし、意匠性を向上させる観点からは、木材を選択することもできる。合成樹脂の一例は、ポリプロピレンである。なお、薬液揮散器１０が使用されない場合、揮散体７０が容器２０から抜かれ、カバー部材４０には、開口４１Ａを閉じるように蓋（図示略）が取り付けられる。
【００２３】
天面４１の外周縁からは、円環状の外壁部４３が下方に延びている。また、天面４１の下面からは、外壁部４３の内側において、円環状の内壁部４４が下方に延びている。内壁部４４は、開口４１Ａを囲むように、開口４１Ａの外周縁に沿って、そのやや外側を延びている。容器本体３０の口部３３の雄ねじ３３Ｂと噛み合う雌ねじ４２は、内壁部４４の内面に形成されている。外壁部４３は、内壁部４４よりも下方へ延びており、肩部３２及び口部３３を覆っている。外壁部４３により容器本体３０のうちの薬液収容部３１以外の部分が外部から視認されないため、薬液揮散器１０の意匠性が高められる。
【００２４】
＜２―３．封止部材＞
封止部材５０は、薬液揮散器１０が傾いた場合、倒れた場合、振動した場合、又は、高温環境に晒された場合であっても、口部３３の開口３３Ａから薬液が漏れ出さないように、開口３３Ａを閉じるべく、口部３３に着脱自在に取り付けられる。典型的な例では、薬液揮散器１０に物体が接触すること等によって外力が作用する場合、薬液揮散器１０は、傾く又は倒れる。また、薬液揮散器１０が例えば、自動車の車内で使用される場合、薬液揮散器１０は、振動する、又は、周辺温度が過剰に上昇し得る。封止部材５０は、このような場合において薬液の漏れを防止するべく、口部３３の開口３３Ａを封止する「栓」として機能することができる。なお、本実施形態では、後述する通り、口部３３には中栓６０が取り付けられ、口部３３は中栓６０とともに、容器本体３０の口部を画定する。この意味で、以下では、口部３３と中栓６０とを合わせて、口部１１と称し、口部１１により画定される開口を、開口１１Ａと称する。封止部材５０は、口部１１により画定される開口１１Ａを封止する。本実施形態では、封止部材５０の形状は、円柱であり、口部１１の形状に対応する。しかしながら、別の例では、封止部材５０の形状は、四角柱等であってもよく、口部１１の形状に合わせて、適宜、選択可能である。
【００２５】
封止部材５０の外周面は、全周に沿って口部１１の内面に接触する形状であることが好ましい。また、好ましい例では、封止部材５０は、少なくとも一部が口部１１の内部に挿入される。さらに好ましい例では、封止部材５０は、高さ方向において半分以上が口部１１の内部に挿入される。本実施形態では、封止部材５０は、全体が口部１１の内部に挿入される。この場合、薬液揮散器１０が傾いた場合、倒れた場合、振動した場合、又は、高温環境に晒された場合であっても、封止部材５０が口部１１から脱落し難く、ひいては薬液が漏れ出し、周囲環境を汚す事態を効果的に抑制することができる。また、封止部材５０は、周囲環境へ揮散体７０に吸い上げられた薬液が揮散するだけでなく、液面から直接揮散することにより、薬液が無駄に消費されることも抑制することができる。
【００２６】
封止部材５０を構成する材料は、適宜選択可能であるが、薬液が漏れ出すことを抑制できる材料であることが好ましい。例えば、封止部材５０を構成する材料は、コルク又は合成樹脂である。好ましい例では、封止部材５０は、揮散体７０を構成する材料よりも柔らかい材料によって構成される。その一例は、不織布である。この場合、揮散体７０のうちの封止部材５０に挿入されている部分において、溝７３以外の部分が封止部材５０に効果的に噛み込むため、封止部材５０から揮散体７０が抜けることが抑制される。
【００２７】
また、薬液揮散器１０は、使用される環境によっては、例えば、カバー部材４０の内面に揮散体７０から揮散された薬液に起因する結露が発生する場合がある。典型的な例では、使用される環境の温度が低い場合に結露が発生する。結露が発生した場合、カバー部材４０の内面、典型的には天面４１と反対側の面４１Ｂのうちの開口４１Ａの近傍において薬液が付着する。面４１Ｂに付着した薬液は、開口４１Ａを介して容器２０外に漏れ出すおそれがある。このため、別の好ましい例では、封止部材５０は、容器２０に結露が発生した場合に、カバー部材４０に付着した薬液を吸うことができる材料によって構成される。その一例は、不織布である。
【００２８】
封止部材５０は、揮散体７０が挿入される挿入孔５１を有する。封止部材５０に形成される挿入孔５１の数は、使用される揮散体７０の数と一致することが好ましい。本実施形態では、封止部材５０は、３つの挿入孔５１を有する。３つの挿入孔５１の形状は、挿入される揮散体７０の角度に応じて異なる。本実施形態では、３つの挿入孔５１のうちの２つの挿入孔５１は、封止部材５０に対して所定角度傾斜するように延び、１つの挿入孔５１は、封止部材５０に対して平行に延びる。３つの挿入孔５１がこのように形成されることにより、揮散体７０が放射状に固定される。
【００２９】
挿入孔５１の大きさは、揮散体７０が挿入できる大きさであれば任意に選択可能である。本実施形態では、挿入孔５１は、封止部材５０に対する揮散体７０の相対的な位置が維持される大きさを有する。換言すれば、挿入孔５１は、揮散体７０の最大の外径と実質的に等しい、又は、わずかに大きい大きさを有する。このため、揮散体７０は、挿入孔５１に挿入されることにより、封止部材５０に対して移動不能に固定される。
【００３０】
＜２―４．中栓＞
中栓６０は、封止部材５０を支持するように口部３３の内部に取り付けられる。中栓６０は、筒状であり、上端に口部３３の天面に引っ掛かるフランジ６１を備える。中栓６０は、口部３３に対して回転可能である。中栓６０は、口部３３の内面に接合されていてもよい。なお、本実施形態では、封止部材５０と中栓６０との間には、容器２０の内と外とで空気の出入りができるように、微小な隙間が形成される。容器本体３０の内部が陽圧になりにくいため、容器本体３０から薬液が噴出することが抑制される。
【００３１】
＜３．揮散体の配置＞
上述したように、薬液揮散器１０は、傾く場合、倒れる場合、振動する場合、又は、高温環境に晒される場合がある。本実施形態では、このような場合であっても、容器２０から揮散体７０が抜けないように、揮散体７０の配置が決められている。図４に示されるように、少なくとも１つの揮散体７０の下端部７１は、容器本体３０の幅方向において、口部３３のうちの最も狭い部分３３Ｘ（以下では、「最狭部３３Ｘ」という）よりも外側に位置する。本実施形態では、２本の揮散体７０の下端部７１は、容器本体３０の幅方向において、最狭部３３Ｘよりも外側に位置する。このため、２本の揮散体７０は、容器本体３０に対して所定角度傾斜している。以下では、容器本体３０に対して所定角度傾斜している２本の揮散体７０のうちの一方を第１揮散体９１と称し、他方を第２揮散体９２と称する場合がある。
【００３２】
本実施形態では、揮散体７０は、封止部材５０に挿入されているため、揮散体７０と封止部材５０との摩擦力によって、揮散体７０と封止部材５０とは、一体的に移動する。第１揮散体９１及び第２揮散体９２の少なくとも一方に対して容器本体３０から抜けるような力が作用した場合、封止部材５０が口部３３の内面に接触する方向に移動するため、揮散体７０及び封止部材５０が容器本体３０から抜けることが抑制される。一方、封止部材５０に対して容器本体３０から抜けるような力が作用した場合、第１揮散体９１及び第２揮散体９２と最狭部３３Ｘとが接触する。第１揮散体９１及び第２揮散体９２が最狭部３３Ｘに引っ掛かるため、揮散体７０及び封止部材５０が容器本体３０から抜けることが抑制される。
【００３３】
本実施形態では、容器本体３０の幅方向における第１揮散体９１の下端部７１及び第２揮散体９２の下端部７１の最大の間隔ＸＡは、最狭部３３Ｘの幅ＸＢよりも広い。封止部材５０に対して容器本体３０から抜けるような力が作用した場合、第１揮散体９１及び第２揮散体９２と最狭部３３Ｘとが接触する。複数の揮散体７０が最狭部３３Ｘに引っ掛かるため、揮散体７０及び封止部材５０が容器本体３０から抜けることが一層抑制される。
【００３４】
また、薬液揮散器１０では、揮散体７０のうちの容器２０内から突出している部分（以下では、「露出部７４」という）と、壁等の薬液揮散器１０の周囲の物体とが接触し、周囲の物体に薬液が付着するおそれがある。本実施形態では、露出部７４と薬液揮散器１０の周囲の物体とが接触しにくいように、容器本体３０に対する揮散体７０の相対的な位置を維持する支持構造８０によって揮散体７０が支持されている。支持構造８０は、封止部材５０及びカバー部材４０の少なくとも一方を含む。本実施形態では、支持構造８０は、封止部材５０及びカバー部材４０を含む。本実施形態では、挿入孔５１は、封止部材５０に対する揮散体７０の相対的な位置が維持される大きさであるため、露出部７４が容器２０に対して広がりすぎることが抑制される。また、カバー部材４０の開口４１Ａが口部３３の開口３３Ａに対して十分に小さいため、露出部７４が容器２０に対して広がりすぎることが抑制される。本実施形態では、揮散体７０は、支持構造８０に支持された状態では、容器本体３０の幅方向において容器本体３０の外郭、及び、カバー部材４０の外郭よりも内側に配置される。
【００３５】
＜４．薬液揮散器の作用及び効果＞
薬液揮散器１０によれば、封止部材５０によって口部１１が閉じられているため、容器本体３０が傾いた場合、倒れた場合、振動した場合、又は、高温環境に晒された場合であっても、薬液が口部１１を介して外部に漏れ出すことが封止部材５０によって妨げられる。このため、薬液が外部に漏れ出しにくい。
【００３６】
＜５．本実施形態の効果＞
以上のように構成された薬液揮散器１０では、さらに次の効果を得ることができる。
【００３７】
＜５−１＞
封止部材５０は、挿入孔５１を有するため、揮散体７０を封止部材５０に容易に挿入できる。
【００３８】
＜５−２＞
封止部材５０の挿入孔５１は、封止部材５０に対する揮散体７０の相対的な位置が維持される大きさを有している。このため、封止部材５０に対する揮散体７０の位置が安定する。
【００３９】
＜５−３＞
封止部材５０は、少なくとも一部が口部１１の内部に挿入されるため、口部１１によって封止部材５０が保護される。このため、封止部材５０が劣化しにくい。
【００４０】
＜５−４＞
封止部材５０は、高さ方向において、半分以上が口部１１の内部に挿入されるため、封止部材５０の広い範囲が口部１１によって保護される。このため、封止部材５０が一層劣化しにくい。
【００４１】
＜５−５＞
揮散体７０に形成される溝７３を介して容器本体３０の内と外とが連通するため、容器本体３０の内と外とで空気が出入りできる。このため、容器本体３０の内部が陽圧になりにくい。このため、薬液が噴出することを抑制できる。
【００４２】
＜５−６＞
封止部材５０は、薬液収容部３１よりも上方に位置するため、封止部材５０と薬液収容部３１に収容されている薬液とが接触しない。このため、封止部材５０が薬液収容部３１に収容されている薬液を吸い上げない。封止部材５０が薬液で飽和された状態とならないため、結露が発生した場合に、封止部材５０によって、カバー部材４０に付着している薬液を好適に吸うことができる。
【００４３】
＜６．変形例＞
上記実施形態は本発明に関する薬液揮散器が取り得る形態の例示であり、その形態を制限することを意図していない。本発明に関する薬液揮散器は、実施形態に例示された形態とは異なる形態を取り得る。その一例は、実施形態の構成の一部を置換、変更、もしくは、省略した形態、又は、実施形態に新たな構成を付加した形態である。以下に実施形態の変形例の一例を示す。
【００４４】
＜６−１＞
薬液揮散器１０の構成は、上記実施形態で示したものに限定されず、任意に変更可能である。例えば、カバー部材４０及び中栓６０の少なくとも一方を省略することができる。中栓６０が省略される場合、封止部材５０は、口部３３の内面と接触するように口部３３に取り付けることができる。
【００４５】
＜６−２＞
容器本体３０の構成は、上記実施形態で示したものに限定されず、任意に変更可能である。例えば、肩部３２及び口部３３を省略することができる。この場合、封止部材５０は、薬液収容部３１の開口を閉じるように容器本体３０に取り付けることができる。
【００４６】
＜６−３＞
封止部材５０の構成は、上記実施形態で示したものに限定されず、任意に変更可能である。例えば、口部３３の天面に接合される円盤状の封止部材５０を備えることができる。このように構成すると、封止部材５０は、全体が容器本体３０から露出する。あるいは、薬液を吸い上げることができるように薬液収容部３１まで延びる封止部材５０を有することができる。この場合、揮散体７０は、封止部材５０を介して薬液を吸い上げる。
【００４７】
＜６−４＞
揮散体７０の構成は、上記実施形態で示したものに限定されず、任意に変更可能である。例えば、揮散体７０から溝７３を省略することができる。この場合、揮散体７０の横断面形状は、例えば、円又は楕円とすることができる。
【符号の説明】
【００４８】
１０  ：薬液揮散器
１１  ：口部
３０  ：容器本体
５０  ：封止部材
５１  ：挿入孔
７０  ：揮散体
【図１】
2022002974.tif 000003
【図２】
2022002974.tif 000004
【図３】
2022002974.tif 000005
【図４】
2022002974.tif 000006
【手続補正書】
【提出日】令和3年8月17日(2021.8.17)
【手続補正１】
【補正対象書類名】図面
【補正対象項目名】図４
【補正方法】変更
【補正の内容】
【図４】
2022002974.tif 000007